(57)【要約】【課題】  焼却施設、浸出水処理施設で使用するｐＨ調整剤および消毒剤を循環再利用することができる廃棄物処理における薬剤の循環再利用方法を提供する。【解決手段】  焼却施設１から排出する飛灰処理物を最終処分場８に埋立処分し、最終処分場８から排出する浸出水を浸出水処理施設９で処理し、浸出水処理施設９で発生する副生塩１４を電解装置２４で電解処理してＮａＯＨ、ＨＣｌ、ＮａＯＣｌを再生し、ｐＨ調整剤もしくは消毒剤２２、２３として浸出水処理施設もしくは焼却施設で再利用する。【選択図】    図１
2005028310.tif 000002
【特許請求の範囲】
【請求項１】
焼却施設から排出する排出物を最終処分場に埋立処分し、最終処分場から排出する浸出水を浸出水処理施設で処理し、浸出水処理施設で発生する副生塩を電解処理してＮａＯＨ、ＨＣｌ、ＮａＯＣｌの少なくとも１つを再生し、再生したＮａＯＨもしくはＨＣｌをｐＨ調整剤として、あるいはＮａＯＣｌを消毒剤として、浸出水処理施設もしくは焼却施設で再利用することを特徴とする廃棄物処理における薬剤の循環再利用方法。
【発明の詳細な説明】
【技術分野】
【０００１】
本発明は廃棄物処理における薬剤の循環再利用方法に関し、廃棄物の最終処分場もしくは焼却施設で使用するｐＨ調整剤、消毒剤を循環再利用する技術に係るものである。
【背景技術】
【０００２】
従来、図２に示すように、焼却施設１では都市ごみ等の廃棄物を焼却炉２で焼却処理しており、焼却炉２で発生する排ガス中の飛灰等を集塵機３で除去している。焼却炉２から集塵機３に至る過程では排ガス中の塩素を除去しており、この除去方法には湿式、乾式もしくは半乾式の塩素除去法があり、乾式もしくは半乾式では吸収薬剤４としてＣａ（ＯＨ）２（消石灰）等を使用している。
【０００３】
集塵機３で除去した飛灰は飛灰処理装置５でｐＨ調整剤６、薬剤７を使用して処理し、飛灰中の亜鉛、鉛等の重金属や塩を除去または固定しており、排水処理において消毒剤を使用している。飛灰処理装置５で処理した飛灰処理物は最終処分場８に埋立て処分している。
【０００４】
最終処分場８では埋立てた焼却灰、飛灰処理物等の廃棄物を長期に管理して安定化、無害化を行っており、降雨に由来して発生する浸出水には重金属、ＣＯＤ、ＢＯＤ等が含まれているので、浸出水を浸出処理施設９で処理している。
【０００５】
浸出水処理施設９における浸出水処理工程１０は、Ｃａ除去工程、生物処理工程、凝集沈殿工程、砂濾過工程、活性炭吸着工程、キレート工程、脱塩工程等からなり、他に汚泥処理工程１１、乾燥処理工程１２等を有し、最終処分場の地域的背景の違いによって種々のものがある。
【０００６】
浸出水中には焼却施設１における塩素除去法で生成したＣａＣｌ２が含まれており、カルシウムはスケールの原因となるので、Ｃａ除去工程ではＮａ２ＣＯ３等のカルシウム除去剤とＮａＯＨ等のアルカリ剤を併用したアルカリ凝集沈殿を行ってＣａＣＯ３として除去している。
【０００７】
生物処理工程は曝気槽、脱窒槽等からなり、浸出水中のＢＯＤを分解し、窒素成分を除去している。凝集沈殿工程は凝集剤とｐＨ調整剤（ＮａＯＨ、ＨＣｌ等）を生物処理水に混合する急速攪拌槽、高分子凝集剤を生物処理水に混合する緩速攪拌槽、凝集したフロックを重力沈降させる凝集沈殿槽等からなり、生物処理水中の汚濁物質を弱酸性凝集沈殿処理してＣＯＤ、色度成分を除去している。砂濾過工程は急速濾過器からなり、凝集沈殿処理水中に残る微細な浮遊物質を珪砂等の濾過層で捕捉して除去している。
【０００８】
活性炭吸着処理工程は、砂ろ過処理水中に残るＣＯＤ、色度成分を除去している。キレート工程はキレート樹脂塔からなり、キレート樹脂で重金属を選択吸着して除去している。脱塩工程は塩水を膜、蒸発処理等により処理水と脱塩濃縮液とに分離し、処理水は焼却施設１の冷却水等として利用し、あるいは消毒剤を添加して放流している。
【０００９】
浸出水処理工程１０で発生する汚泥は汚泥処理工程１１において汚泥濃縮槽、汚泥脱水機等により脱水して脱水ケーキ１３として排出し埋立処分しており、脱塩濃縮液は乾燥処理工程１２において乾燥させて副生塩１４として排出し保管、埋立処分している。この種の先行技術文献としては例えば特許文献１に記載するものがある。
【特許文献１】特開平１１−７６９７０号
【発明の開示】
【発明が解決しようとする課題】
【００１０】
しかし、焼却施設１で塩化水素の吸収薬剤として使用する消石灰は飛灰処理物量を嵩上げする要因となっており、浸出水処理施設９で浸出水処理によって発生するＣａ含有汚泥も脱水ケーキ１３として最終処分場８に埋め立てるので、最終処分場８の埋立容量が不足する要因となっている。
【００１１】
また、浸出水の脱塩処理によって発生する副生塩１４はカリウム等の不純物の含有量が岩塩等に比べて多いので、工業的に有効利用されることなく、保管、埋立処分されている。
【００１２】
一方、廃棄物処理施設（焼却施設１、浸出水処理施設９、下水やし尿、産業排水等の廃棄物処理施設）で使用するｐＨ調整剤のＮａＯＨやＨＣｌ等は、電解メーカーにおいて不純物の少ない輸入岩塩等を原料塩として精製した高純度のＮａＯＨやＨＣｌを用いているが、ｐＨ調整剤として使用するＮａＯＨやＨＣｌ等は高純度である必要はない。
【００１３】
本発明は、最終処分場における埋立容量の消費を抑制し、焼却施設、浸出水処理施設の過程で使用するｐＨ調整剤、消毒剤の再利用を図ることができる廃棄物処理における薬剤の循環再利用方法を提供することを目的とする。
【課題を解決するための手段】
【００１４】
上記課題を解決するために、請求項１に係る本発明の廃棄物処理における薬剤の循環再利用方法は、焼却施設から排出する排出物を最終処分場に埋立処分し、最終処分場から排出する浸出水を浸出水処理施設で処理し、浸出水処理施設で発生する副生塩を電解処理してＮａＯＨ、ＨＣｌ、ＮａＯＣｌの少なくとも１つを再生し、再生したＮａＯＨもしくはＨＣｌをｐＨ調整剤として、あるいはＮａＯＣｌを消毒剤として、浸出水処理施設もしくは焼却施設で再利用するものである。
【００１５】
上記した構成において、浸出水処理施設もしくは焼却施設ではｐＨ調整剤としてＮａＯＨもしくはＨＣｌを使用し、消毒剤としてＮａＯＣｌを使用する。たとえば、焼却施設では吸収薬剤としてＣａＯ等を使用して焼却炉の排ガス中の塩素を除去し、集塵機で排ガスから飛灰を除去し、飛灰処理で飛灰中の亜鉛、鉛等の重金属や塩を除去し、その過程および排水処理においてｐＨ調整剤および消毒剤を使用する。
【００１６】
浸出水処理施設では、焼却施設の塩素除去で生成したＣａＣｌ２を、Ｎａ２ＣＯ３等のカルシウム除去剤とＮａＯＨ等のアルカリ剤を併用したアルカリ凝集沈殿によりＣａＣＯ３として除去する。また、ＢＯＤ、窒素成分を生物処理して除去し、凝集剤、ｐＨ調整剤、高分子凝集剤等を使用する弱酸性凝集沈殿処理によってＣＯＤ、色度成分を除去し、消毒剤を添加して処理水を放流する。
【００１７】
浸出水処理で発生する塩固形物を乾燥させて副生塩となし、この副生塩を電解処理してＮａＯＨ、ＨＣｌ、ＮａＯＣｌの少なくとも１つを再生し、再生したＮａＯＨもしくはＨＣｌをｐＨ調整剤として、あるいはＮａＯＣｌを消毒剤として、浸出水処理施設もしくは焼却施設で再利用することで、副生塩の有効利用と新たなｐＨ調整剤、消毒剤の使用を抑制する。
【発明の効果】
【００１８】
以上のように、本発明によれば、浸出水処理で発生する副生塩を原料塩として電解処理によりＮａＯＨ、ＨＣｌ、ＮａＯＣｌを再生することで、ｐＨ調整剤、消毒剤を浸出水処理施設もしくは焼却施設で再利用することができ、副生塩の有効利用と新たなｐＨ調整剤、消毒剤の使用を抑制することができる。
【発明を実施するための最良の形態】
【００１９】
以下、本発明の実施の形態を図面に基づいて説明する。先に図２において説明したものと同様の作用を行う構成については同一番号を付して説明を省略する。
図１において、焼却施設１では焼却炉２から集塵機３に至る過程で乾式もしくは半乾式の塩素除去法により排ガス中の塩素を除去し、吸収薬剤としてＣａＯ（生石灰）２１を使用する。集塵機３で除去した飛灰は飛灰処理装置５でｐＨ調整剤２２、薬剤７を使用して処理し、飛灰中の亜鉛、鉛等の重金属や塩を除去又は固定し、排水処理において消毒剤２２を使用する。
【００２０】
また、浸出水処理施設９では、焼却施設１における塩素除去法で生成したＣａＣｌ２をＣａ除去工程でＮａ２ＣＯ３等のカルシウム除去剤とＮａＯＨ等のアルカリ剤を併用したアルカリ凝集沈殿を行ってＣａＣＯ３として除去する。ＣａＣＯ３を含む汚泥は汚泥処理工程１１で脱水して脱水ケーキ１３となし、この脱水ケーキ１３を焼却炉２で焼成することでＣａＣＯ３からＣａＯを再生し、このＣａＯを吸収薬剤として循環再利用する。
【００２１】
生物処理工程では浸出水中のＢＯＤ、窒素成分を除去し、凝集剤、ｐＨ調整剤２３、高分子凝集剤等を使用して弱ＨＣｌ性凝集沈殿処理によりＣＯＤ、色度成分を除去し、消毒剤２３を添加して処理水を放流する。
【００２２】
浸出水処理工程１０で発生する塩固形物は乾燥処理工程１２において乾燥させて副生塩１４として排出する。
ところで、廃棄物処理施設（焼却施設１、浸出水処理施設９）で使用するｐＨ調整剤もしくは消毒剤２２、２３は高純度のＮａＯＨ、ＨＣｌ、ＮａＯＣｌである必要はなく、副生塩１４から再生するＮａＯＨ、ＨＣｌ、ＮａＯＣｌでも使用可能である。
【００２３】
このため電解装置２４において副生塩１４を原料塩として電解処理し、副生塩からＮａＯＨ、ＨＣｌ、ＮａＯＣｌを再生し、ｐＨ調整剤もしくは消毒剤２２、２３として循環再利用する。このことで、資源の循環再利用が可能となり、副生塩の有効利用と新たなｐＨ調整剤の使用を抑制できる。
【図面の簡単な説明】
【００２４】
【図１】本発明の実施の形態での廃棄物処理における薬剤の循環再利用方法を示すフローシート図である。
【図２】従来の廃棄物処理方法を示すフローシート図である。
【符号の説明】
【００２５】
１  焼却施設
２  焼却炉
３  集塵機
５  飛灰処理装置
７  薬剤
８  最終処分場
９  浸出水処理施設
１０  浸出水処理工程
１１  汚泥処理工程
１２  乾燥処理工程
１３  脱水ケーキ
１４  副生塩
２１  生石灰
２２、２３  ｐＨ調整剤もしくは消毒剤
２４  電解装置
【図１】
2005028310.tif 000003
【図２】
2005028310.tif 000004